Podtech/llm-jp-corpus-v4-ja_patent huggingface dataset:
(57)【要約】【課題】携帯電気機器例えば携帯電話電気回路の電池の代りの発電装置を得ることである。【解決手段】手動回転子を回転することによりぜんまいを巻きあげて、この出力トルクにより単相直流発電機のマグネット回転子を駆動回転せしめる装置と、マグネット回転子の回転により固定電機子の電機子コイルに発生する発電出力を直流出力に転化する装置と、該直流出力を携帯電気機器の電気回路の電源として利用する装置とにより構成されたものである。【選択図】図２
2013188113.tif 000002
【特許請求の範囲】
【請求項１】
外筐側面に支軸により回転自在に支持されるとともに回転外周の１部が外筐側面より突出した手動回転子と、該手動回転子を手動により回転することにより、内部に収納されたぜんまいを巻き上げて保持する装置と、該ぜんまいの駆動を増速して外筐内に収納された偏平で円環状のマグネット回転子を回転せしめる増速歯車と、該マグネット回転子の内周面に着磁された円環状の多数のＮ，Ｓ磁極と、該Ｎ，Ｓ磁極内周面に空隙を介して対向するとともに該磁極巾だけ離間した磁性体突出部を有する固定電機子ならびに該固定電機子に捲着された電機子コイルと、該電機子コイルの発電出力を直列に接続して発電出力を整流して単相の発電出力を得る電気回路とにより構成されたことを特徴とする小型偏平発電機。
【発明の詳細な説明】
【技術分野】
【０００１】ポケットベルのような小型携帯電気装置の電源として利用される。
【背景技術】
【０００２】マグネット回転子による発電機は周知であるが、手動力により発電する小型偏平の機器で実用化されたものはない。
【発明の概要】
【発明が解決しようとする課題】
【０００３】手動トルクによりぜんまいに駆動エネルギーを蓄積し、これにより発電機を駆動して所要時間だけ発電し、この発電エネルギーにより所要時間だけポケットベルを動作せしめることにより、電池を収納しない場合又は収納した電池が消耗したときにも通話できる手段を提供することである。又電池を充電する為の高価な充電設備を使用しないですむ手段を提供することである。
【課題を解決するための手段】
【０００４】外筐側面に支軸により回転自在に支持されるとともに回転外周の１部が外筐側面より突出した手動回転子と、該手動回転子を手動により回転することにより、内部に収納されたぜんまいを巻き上げて保持する装置と、該ぜんまいの駆動を増速して外筐内に収納された偏平で円環状のマグネット回転子を回転せしめる増速歯車と、該マグネット回転子の内周面に着磁された円環状の多数のＮ，Ｓ磁極と、該Ｎ，Ｓ磁極内周面に空隙を介して対向するとともに該磁極巾だけ離間した磁性体突出部を有する固定電機子ならびに該固定電機子に捲着された電機子コイルと、該電機子コイルの発電出力を直列に接続して発電出力を整流して単相の発電出力を得る電気回路により構成されたものである。
【発明の効果】
【０００５】携帯電話に利用すると、電池の消耗により対話ができなくなる不都合を防止できる。又高価な充電装置を使用しないですむ利点がある。小型偏平に構成できるので、上述した効果が要求される他の電機器具の電源として利用できる。
【図面の簡単な説明】
【０００６】
【図１】本発明装置の外観図
【図２】本発明装置の断面図
【図３】手動回転子の動作の説明図
【図４】固定電機子とマグネット回転子の展開図
【図５】全体の構成のブロック回路図
【発明を実施するための形態】
【０００７】図１以降について本発明の詳細を説明する。各図面の同一記号のものは同一部材なので重複した説明は省略する。図１は外観を示す図である。図２は断面図である。図１，図２において、外筐１の側面には円板形の手動回転子１ｂが回転軸３を介してそのまわりを自由に回転できるように支持されている。回転軸３は図示しない軸受により外筐１の側面１ａに回動自在に支持され、その右端には歯車６を固定する。手動回転子１ｂと後述するラチエット歯車２は同期回転するように固着されている。
【０００８】点線４で示すものは渦巻状のぜんまいで、中央端部は回転軸３に固定され、外周端部はラチェット歯車２の外周内側に固着する。ラチエット歯車２の外周には、図３に示すようにラチエット歯２ａが設けられ、レバー１１の左端が噛合し、その右端は本体に設けた支軸１１ａにより回動自在に支持され、図示しないスプリングにより矢印Ｂ方向に弾撥されている。従ってラチエット歯車２を手動で矢印Ａ方向に回転すると、図２のぜんまい４は巻き上げられ、回転軸３を介して歯車６を駆動する。
【０００９】図２の歯車６，これと噛合する小歯車７ａ，大歯車７，これと噛合する小歯車８ａは、回転子８を増速して回転する。回転子８の外周内側には円環状のマグネット回転子９が固定され、この磁極に空隙を介して磁極が対向する固定電機子１０が側板１ａに固着されている。
【００１０】図４は展開図で、マグネット回転子９の内側には磁極巾がＮ，Ｓ磁極巾と等しく磁極巾だけ離間した磁極９ａ，９ｂ，．．．が等しいピッチで配設された固定電機子１０が設けられ、各磁極には電機子コイル１２ａ，１２ｂ，．．．が装着されている。図２の手動回転子１ｂを回転すると、前述したようにぜんまい４を介してマグネット回転子９が増速駆動されるので、電機子コイル１２ａ，１２ｂ，．．．に発電力が発生する。この発電出力はポケットベルに利用する場合には５ボルト１００ミリアンペア位が所要出力となる。
【００１１】図４はマグネット回転子９と電機子コイル１２ａ，１２ｂ，．．．の展開図で、磁極数が多いのでその１部のみが示されている。端子１３ａ，１３ｂより発電出力を得ることができる。本発明装置は、外転型のマグネット回転子となっているので次の特徴がある。第１にＮ，Ｓ磁極と磁極９ａ，９ｂ，．．．との相対速度が大きく発電電圧が大きくなる。第２に単相発電機でも発電周波数が大きいので平滑用のコンデンサが小さくなる。小型蓄電池を収納して、これに充電して使用する場合にはコンデンサは不要となる。第３に多数の電機子コイルが直列接続されているので出力電圧が大きくなる。
【００１２】図５において、前述した発電機１４の出力は、ダイオードを含む整流回路１５により直流出力に変換され、その出力は携帯電話の電気回路１６の電源とされる。電源としてバッテリを使用する手段は、バッテリがあがって使用不可能となる不都合があるが、本発明の手段によるとこの欠点が除去される作用がある。当然であるがバッテリと併用すると、バッテリの充電を自動的に行なうことができる。
【実施例】
【００１３】［図２］の図面を実際の大きさとして試作すると、出力電圧が５ボルト８０ミリアンペアを得ることができ、ぜんまいを巻き上げると、３０秒位の所要の出力が継続して得られる。
【符号の説明】
【００１４】１，１ａ  外筐
１ｂ  手動回転子
２  ラチエット歯車
３  回転軸
４  ぜんまい
６，７，７ａ，８ａ  歯車
８，９  マグネット回転子
１０  固定電機子
１１，１１ａ  レバーとその支軸
９  Ｎ，Ｓ磁極
９ａ，９ｂ，．．．磁極
１２ａ，１２ｂ，．．．電機子コイル
１４  発電機
１５  整流回路
１６  携帯電話の電気回路
【図１】
2013188113.tif 000003
【図２】
2013188113.tif 000004
【図３】
2013188113.tif 000005
【図４】
2013188113.tif 000006
【図５】
2013188113.tif 000007
(57)【要約】【課題】今までは揚げた後の穀類を成形することが出来なかったのだが、ここにある一定量の塩分（11％以上）を添加する事により揚げた穀類を結着、成形することが出来て独特の食感を提供することが出来るようになる【解決手段】揚げた後の穀類に１１％以上の塩分の入っただし汁を噴霧することにより結着、成形が出来るようになり焼成しても形を保つことが出来る。そのおかげで従来にない独特の煎餅の食感を提供することが可能となった。【選択図】なし【特許請求の範囲】
【請求項１】
穀類を揚げてそれに塩分等を加えることにより結着成形出来る煎餅である
【発明の詳細な説明】
【技術分野】
【０００１】
本発明は煎餅において穀類を蒸して乾燥し大きさを一定にした素材、あるいは大きさが一定の穀類を蒸して乾燥した物を揚げた後にプレスによる成形を行うものである
【背景技術】
【０００２】
従来より煎餅は穀類を成形してから揚げる製法は存在していたが穀類を揚げた後に成形しているものはなかった
【先行技術文献】
【特許文献】
【０００３】
【特許文献１】特開１１−１６９０８２
【発明の概要】
【発明が解決しようとする課題】
【０００４】
揚げあがった穀類をプレス成形する事が出来ない
【課題を解決するための手段】
【０００５】
今回の発明は揚げた後の穀類に11%以上の塩分等を加えることによりプレス成形する事ができる
【発明の効果】
【０００６】
今回の発明は今までの煎餅にはない新しい食感を生み出している
【発明を実施するための形態】
【０００７】
揚げた穀類に塩分を加えただし汁を霧状に噴霧して混ぜ込みプレス成形機により成形しオーブンにて乾燥焼きする
【実施例】
【０００８】
塩分濃度が11％未満では結着せず成形自体が出来ない。11.5％以下では成形は出来るが焼成後の結着がもろくくずれてしまう為に製品として成り立たない。
11.6％以上の塩分を加えることにより成形出来、焼成後も形が保たれ独特の食感を出すことが出来る。
【産業上の利用可能性】
【０００９】
今までに無い食感の煎餅となっていて子供からお年寄りまで幅広く噛み砕ける固さになっている。また製菓業としてお米の消費拡大に貢献できる商品である。
(57)【要約】【課題】蘭の花弁の色を変える方法の提供。【解決手段】本発明は蘭の花弁の色を変える方法に関し、そのステップは、まず成植物の花梗箇所に収納空間を設置し、花梗の直径より小さい固体染色剤を用意し、吸引器を用いて該固体染色剤を収納空間内に挿入する。また、固体染色剤を挿入前或いは挿入後に、成植物に水分を供給して固体染色剤の溶解及び吸着を助ける。これにより、成植物は迅速に均等に花弁の色を変化させられるため、花弁の色彩を豊富かつ鮮やかにし、千変万化で尚且つ高付加価値のある染色効果を達成することができる。【選択図】図１
2013188170.tif 000002
【特許請求の範囲】
【請求項１】
成植物の花梗箇所に収納空間を作る第一ステップと、
花梗直径より小さい固体染色剤を用意し、吸引器を用いてそれを収納空間内に挿入する第二ステップとを含む蘭の花弁の色を変える方法。
【請求項２】
前記固体染色剤は粉末状或いは顆粒状であることを特徴とする請求項１に記載の蘭の花弁の色を変える方法。
【発明の詳細な説明】
【技術分野】
【０００１】
本発明は、花弁の色を変える方法に関連し、蘭の花弁の色を変える方法に係る。
【背景技術】
【０００２】
台湾は亜熱帯地方に属し、太陽の光が充足し、湿度が高いため、各種蘭の生長に適した環境にある。その産業は現在、461ヘクタールに近い栽培面積を有し、花卉総生産面積11,000ヘクタールの4％を占めるだけであるが、蘭の生産価値は24.4億台湾元に達し、これは、花卉総生産価値のほぼ22.6％を占める。しかも、毎年蘭の花の輸出量は4000万株にも達するため、蘭産業は花卉における黄金産業と言われ、台湾は「蘭王国」の称号を得ている。
【０００３】
蘭はかねてから「王者の香り」と呼ばれ、国内外の人々から愛されている花である。よって、現在、台湾社会では、蘭は幅広く贈り物に用いられ、家庭やオフィスの一般環境に添えてさらに完璧にする効果を備えている。しかし、従来の蘭の花弁の色は白色系或いは単色系に偏るため、消費者には、単調で、変化性及び独自性に乏しく購買欲をそがれる。また、さらなる生活の品質の向上に伴い、人々の美観に対する要求も高まり、単調な蘭の花弁の色彩は消費者の購買欲を徐々に低下させている。
【０００４】
そこで、上述の問題点を解決するために、ある業者は、蘭の花弁の着生性を利用して新品種の「非原生種」を培養し、蘭の花に二種類以上の色彩を得させた。しかし、この技術は長時間に渡る栽培及び研究を必要とし、加えて蘭の花の生長には多種の重要な栄養元素がなくてはならず、少しでもミスがあると、蘭の花自体の栄養分の供給不足が起き易く、培養成功前に枯れてしまうこともある。よって、生長におけるコントロールが非常に難しく、培養効率もあまり好ましいものではない。
【０００５】
前述に鑑み、本発明者は特に熱心に研究を進め、学んだものとの結合を図り、上述の問題に対して、効果的に公知の欠点を克服すべく蘭の花弁の色を変える方法を提出した。
【発明の概要】
【発明が解決しようとする課題】
【０００６】
本発明が解決しようとする技術問題は、前述の蘭の花弁の色を変える際の欠点を克服することにあり、「蘭の花弁の色を変える方法」の提供により、染色の作業効率を高め、その困難度を低下させる。
【課題を解決するための手段】
【０００７】
前述の目的を達成するために、本発明の蘭の花弁の色を変える方法は、その工程内の第一ステップにおいて、成植物の花梗箇所に収納空間を作り、該成植物を蘭の花とする。また、第二ステップでは、花梗直径より小さい固体染色剤を用意し、さらに吸引器を用いて固体染色剤を収納空間内に挿入する。該固体染色剤を挿入前或いは挿入後に成植物に対して水分を供給することにより、固体染色剤の溶解及び均等な吸着を助け、該成植物の維管束を通して自然に蘭の花弁に運搬された固体染色剤は、蘭によって自動的に迅速に吸収される。
【発明の効果】
【０００８】
前述の技術方法により、本発明を公知技術と比較すると、次のような長所が見られる。即ち、蘭に挿入した非常に小さな固体染色剤を蘭が自動的に吸入して、短時間で均等染色を行い、遺伝子組み換えを行わずに花弁の色を変える作業効率を効果的に向上させ、大幅に培養の困難度を低下させ、蘭の千変万化の染色効果を達成し、多元性及び独自性豊かな蘭の花弁を作り出し、その価値性及び販売力を高めることができる。
【図面の簡単な説明】
【０００９】
【図１】本発明のフロー図である。
【図２】本発明の実施例図である。
【発明を実施するための形態】
【００１０】
次に、本発明の目的、技術内容、特徴、及びそれが達成する効果を簡単にご理解いただくために、図面を参照とした具体的な実施例によって詳細説明を行う。
【実施例】
【００１１】
図に示した本発明の蘭の花弁の色を変える方法は、次のステップを含む。即ち、
第一ステップＳ１：成植物の花梗箇所に収納空間を作る。
第二ステップＳ２：該花梗直径より小さい固体染色剤を用意し、吸引器を用いてそれを収納空間内に挿入する。
【００１２】
図２に示したとおり、本発明の一実施例は、成植物１の花梗１１の任意箇所に収納空間１２を設置する。成植物１は蘭の花である。続いて、花梗１１の直径より小さい固体染色剤２を用意する。該固体染色剤２は粉末状或いは顆粒状とし、並びに、微量吸引管を備える吸引器３を用いて収納空間１２内に挿入される。該固体染色剤２の用量は0.001〜0.1ｇとする。尚、該固体染色剤２を挿入前或いは挿入後に、成植物１に対して水分を供給することにより、固体染色剤２の溶解及び均等な吸着を助け、固体染色剤２は成植物１の維管束を通して蘭の花弁に運搬され、蘭に自動的かつ速やかに吸収される。しかも、収納空間１２は花梗１１の基部に手を加える必要がなく、顕著な染色効果を達成することができる。これにより、本発明は、直接、色彩豊富な蘭の花弁を製作し、遺伝子組み換えを行わずに花弁の色を変える作業効率を効果的に向上させ、大幅に培養の困難度を低下させ、蘭の千変万化の染色効果を達成し、多元性及び独特性豊かな蘭の花を作り出すことができる。
【００１３】
前述のとおり、本発明の「蘭の花弁の色を変える方法」は、公知技術に取り上げた花弁の色を変える方法とは異なり、さらに進歩性のある効果を有し、利便性を備えた染色技術である。但し上述は、本発明の好ましい実施例であるだけで、本発明の実施範囲を限定するものではなく、よって、本発明の特許請求の範囲に開示した特徴及び発明精神に基づいて為された同等変化或いは修飾は全て、本発明の請求の範囲内に含まれるものとする。
【符号の説明】
【００１４】
１  成植物
１１  花梗
１２  収納空間
２  固体染色剤
【図１】
2013188170.tif 000003
【図２】
2013188170.tif 000004
(57)【要約】【課題】街路樹におけるムクドリ、害鳥の飛来防止被害を伐採以外でなくす手段がなかった。【解決手段】一時的な被害や景観を損ねる等の問題点を解決達成するために、メイン振動装置とサブ振動装置である加震器及び集声器を樹木と枝に据え付ける。その振動装置は、集音器の信号で作動し、音声発生装置集音器は、ムクドリ、害鳥の鳴き声に反応し微震動をおこし阻止する有害鳥類飛来防止装置である。【選択図】図１
2013188195.tif 000002
【特許請求の範囲】
【請求項１】
止まり木となる樹木に、メインコントロールボックスと振動装置である加震器、音声を拾う集音器を樹木と枝に据え付け、音声認識装置である集声器がムクドリ等の鳴き声に反応し、加振器に信号を送り微震動をおこす有害鳥飛来防止装置。
【発明の詳細な説明】
【技術分野】
【０００１】本発明は、止まり木になる樹木にムクドリ、害鳥が飛来し巣等を作らせなくする装置である。
【背景技術】
【０００２】従来、街路樹におけるムクドリ、害鳥の被害を阻止するには、枝などを伐採するしか手段がなかった。また一時的な効果しかない天敵の模型等忍ばせるなどであった。
【発明の概要】
【発明が解決しようとする課題】
【０００３】以上の対策では、効果が一時的であったり、町並み、景観を損ねたりした。
【課題を解決するための手段】
【０００４】  本発明は、騒音やフン被害や景観を損ねる等の問題点を解決達成するために、メインコントロールボックス、加震器、集音器を樹木と枝に据え付ける。また音声認識装置は樹木本体上部に設置し、その加震器は、集声器で信号を流し、音声認識装置及び加震器が作動する。音声集音器は、ムクドリ、害鳥の鳴き声に反応し、加震器に信号を流す、ムクドリ等がいやがる微震動をおこす。以上を特徴とする有害鳥類飛来防止装置である。
【発明の効果】
【０００４】本装置は、樹木も傷めず景観損なわず安定的な対策ができ効果が期待できる装置である。
【図面の簡単な説明】
【０００５】
【図１】本発明の側面図
【発明を実施するための形態】
【０００６】本装置は、外部電源、蓄電池、自然エネルギー等の電力を利用し、樹木に取り付けられた集音器が、ムクドリ等の鳴き声をとらえ信号を加震器に送り、樹木の止まり木となる枝部や葉などを微振動させる。メインコントロールボックスで加震器の振動の伝導力、サイクリスタを調整し最適な状態に設定できる。
【符号の説明】
【０００７】１  メインコントロールボックス
２  加震器
３  集音器
【図１】
2013188195.tif 000003
(57)【要約】【課題】歯ブラシカバーの開閉が効率よく操作できるクリップケースを提供する。【解決手段】歯ブラシケースの一端に主軸を設け主軸にバネを軸着しそのバネの圧力で簡単に開閉できることを特徴とするクリップケース。【選択図】図１
2013188454.tif 000002
【特許請求の範囲】
【請求項１】
クリップケース本体の蓋部と底部が連結する一端に、主軸を設けバネを軸着し、バネの圧力で開閉することを特徴とするクリップケース。
【発明の詳細な説明】
【技術分野】
【０００１】  本発明は、クリップケース本体の一部に開口部をもち、蓋部と底部が、効率よく開閉するクリップケースに関するものである。
【背景技術】
【０００２】  従来、歯ブラシの先端を保護するカバーとして箱状のケースを開閉するものがあった（特許文献１参照）。
また、キャップ状で、歯ブラシ先端の植毛部を被せるものが知られていた（特許文献２）。
【先行技術文献】
【０００３】
【特許文献１】  特開２０００−３３９２９号公報
【特許文献２】  特開１１−５６４７７号公報
【発明の概要】
【発明が解決しようとする課題】
【０００４】  そのため、次のような問題点があった。
（イ）箱状のケースを開閉するには、小さなツマミがあり、指で操作するにはとても使いづらかった。
（ロ）キャップ状のケースは、歯ブラシの植毛部に嵌め合わせただけなので不安定であった。
（ハ）歯ブラシとケースは作業する時、別々に置くので忘れて紛失することが多かった。
【課題を解決するための手段】
【０００５】クリップケース（８）本体の蓋部（１）と底部（２）が連結する一端の曲折部（６）に、主軸（３）を設け、バネ（４）を軸着した。
以上を特徴とするクリップケース（８）である。
【発明の効果】
【０００６】クリップケースは、指で押圧することで簡単に開閉し、歯を磨くときは自分の洋服なり身近なところにクリップしておけば、紛失することなく便利である。
【図面の簡単な説明】
【０００７】
【図１】  本発明の斜視図である。
【図２】  本発明の背面図である。
【図３】  本発明の平面図である。
【図４】  本発明の斜視図である。
【図５】  本発明を指で押圧したところの斜視図である。
【図６】  本発明を洋服にクリップした斜視図である。
【発明を実施するための形態】
【０００８】  以下、本発明の実施の形態について説明する。
クリップケース（８）本体の蓋部（１）と底部（２）の一端に主軸（３）を設け、主軸（３）に、バネ（４）を軸着し、クリップケース（８）の開閉をバネ（４）の圧力により、指でツマミ（５）を押すだけで簡単に操作ができる。
本発明は以上のような構成である。
これを使用するときは、ツマミ（５）を指で押圧するとクリップケース（８）がバネ（４）の圧力により開くので、クリップケース（８）の開口部（７）に歯ブラシの柄を入れ合わせ歯ブラシの埴毛部がクリップケース（８）に入ったら、ツマミ（５）を離す。
【符号の説明】
【０００９】  １  蓋部
２  底部
３  主軸
４  バネ
５  ツマミ
６  曲折部
７  開口部
８  クリップケース
【図１】
2013188454.tif 000003
【図２】
2013188454.tif 000004
【図３】
2013188454.tif 000005
【図４】
2013188454.tif 000006
【図５】
2013188454.tif 000007
【図６】
2013188454.tif 000008
(57)【要約】      （修正有）【課題】腕時計の肌に直接あたり冷たく感じる時計本体部分に貼り付ける腕時計シールと、腕時計シールの文字模様絵柄図に関する物、それを入れる封筒兼包装袋を提供する。【解決手段】吸着シールと剥離紙と、腕に触れる部分が汗を吸い取る素材で表面に凹凸がない物と、表面に素材により、または任意加工により表面に任意の凹凸を付け肌にあたる面積が少ない形状からなる腕時計シール１と、用紙、プラスティックなど任意素材に書いた文字模様絵柄図の縮小図又は一部を腕時計シール１の文字模様絵柄図にする。封筒兼包装袋に宛名ラベルを設け、切手を貼れる位置、または郵便、メール便などの日付印または領収印などを押せる場所を設け、そのまま発送可能にする。同封した物の中身を見せることを可能にするため封筒兼包装袋の一部または片側または両側を透明な素材にする。【選択図】図１
2013188406.tif 000002
【特許請求の範囲】
【請求項１】
吸着シールと剥離紙と腕に触れる部分が汗を吸い取る素材で表面に凹凸がない物と、表面に素材により、または任意加工により表面に任意の突起部または凹凸を付け肌にあたる面積が少ない形状からなる、腕時計本体の裏と同じ形、同じ大きさのものとそれに加工を加えた形の物で、腕時計本体に貼り付け使用する腕時計シールに関するものである。
【請求項２】
腕時計シールの文字模様絵柄図を用紙、プラスティック、葉書きなど任意素材に書かれた文字模様絵柄図の縮小図または一部である物に関するものである。
【請求項３】
商品を包装する袋状の物を封筒や発送可能な物にするために、宛名ラベル、接着剤付き切手、郵便、メール便などの日付印、領収印などを押せる箇所を設けた物で、同封した物を封を開けずに見せることを可能にするため封筒兼包装袋状の物の一部または片側または両側を透明とし、上部に商品名、値段などを記入する部分と陳列棒に通す穴を付けた物に関するものである。
【発明の詳細な説明】
【技術分野】
【０００１】
本発明は、吸着シールと剥離紙と腕に触れる部分が汗を吸い取る素材で表面に凹凸がない物と、表面に素材によりまたは任意加工により凹凸があり肌にあたる面積が少ない形状のものからなる物を腕時計本体の裏に貼り付け使用する。
用紙、プラスティックなど任意素材に書いたあらゆる文字模様絵柄図の縮小図又は一部が腕時計シールの文字模様絵柄図である物、  以上の物を入れる封筒兼包装袋でその一部または片面または両面が透明な袋状のものに切手を付けた物と付けない物で、宛名ラベルなどを設けそれらを使用することにより発送可能にすること、それに同封する用紙などや静物に関する物である。
【背景技術】
【０００２】
腕時計本体は金属で作られているので冬季にはその冷たさで腕が冷えることがある。その冷えを解消するため、リストバンドの上に腕時計を付けたり、衣類の腕部分に腕時計をのせるなどの対処をしていた。
【先行技術文献】
【特許文献】
【０００３】
【特許文献１】特開２０１０−１４２６２１  腕時計の冷暑防止シート、バンド
【発明の概要】
【発明が解決しようとする課題】
【０００４】
解決しようとする問題点は、腕時計本体の金属部分が直接肌に触れないようにすること、腕時計シールの文字模様絵柄図に関する物、封筒兼包装袋に関する物である。
【課題を解決するための手段】
【０００５】
本発明は、吸着シールと剥離紙と腕に触れる部分が汗を吸い取る素材で表面に凹凸がない物と、表面に素材により、または任意加工により凹凸があり肌にあたる面積が少ない形状のものからなるものを腕時計本体の裏に貼り付け使用する。
腕時計シールの文字模様絵柄図を用紙、プラスティックなど任意素材に書いた文字模様絵柄図の縮小図または一部である物にする。同封した物の中身を見せることを可能にするため封筒の一部または片側または両側を透明の素材にする。
【発明の効果】
【０００６】
本発明では、腕時計シールは肌に触れる面積を減らし汗を吸い取るかぶれにくい素材にすることで使いやすく、吸着シールにすることで粘着剤が腕時計に残ることがない。
腕時計シールの文字模様絵柄図を用紙、プラスティックなど任意素材に書いた文字模様絵柄図の縮小図、または一部にすることで、この２つに同一感があり、思い出も残すことができる。
また、販売時に商品を入れてある包装袋を封筒として使える。
例えば、旅行先で封筒兼包装袋に未使用絵葉書と腕時計シールが入った物を販売し、購入した人が旅の思い出に誰かに送るとしたとき、封筒兼包装袋についているあて名ラベルにあて名を書いて送ることができるので、エコで手軽である。
【図面の簡単な説明】
【０００７】
【図１】図１は実施方法を示した説明図である。（実施例１）
【図２】図２は実施方法を示した説明図である。（実施例２）
【図３】図３は実施方法を示した説明図である。（実施例３）
【図４】図２は封筒兼包装袋に関する説明図である。（実施例４）
【発明を実施するための形態】
【０００８】
腕時計本体に接着する面を吸着シールにすることで、接着剤不使用にすることができた。
文字模様絵柄図を書いた任意素材と、腕時計シールを貼り付けた剥離紙がわりの透明シート、２つの大きさを同じにすることで、この2枚を重ねた時に文字模様絵柄図を損ねることがない。
腕時計シールを文字模様絵柄図を用紙、プラスティックなど任意素材に書いた物に付ける時は、腕時計シールと同形同サイズの剥離紙は付けない。
【実施例１】
【０００９】
図1は、本発明の1実施例であって、１〜３は、図２と同様である。
【実施例２】
【００１０】
図２は、本発明の1実施例であって、１〜３は、図１と同様である。
【実施例３】
【００１１】
図３は、本発明の２透明シートを付けない場合の1実施例であって、１は、図１と同様である。
【実施例４】
【００１２】
図２は、本発明の1実施例であって、１〜３は、図１と同様である。
【産業上の利用可能性】
【００１３】
封筒兼包装袋に文字模様絵柄図を用紙、プラスティックなど任意素材に書いた物をいれたままで発送できるのだが、文字模様絵柄図を用紙、プラスティックなど任意素材に書いた物を葉書きにした場合、封筒兼包装袋を使わず葉書きだけで発送できるので手軽である。また、文字模様絵柄図を用紙、プラスティックなど任意素材に書いた物を折れづらい物にしたら桜の木の小枝など静物を封筒兼包装袋に同封でき、発送が可能になる。
【符号の説明】
【００１４】
１    腕時計シール
２    透明シート
３    文字模様絵柄図が書かれた物
４    封筒兼包装袋
５    あて名ラベル
６    剥離紙
７    吸着シール
８    任意の突起部・オウトツ部
９    汗を吸うかぶれない素材
１０    切手を貼り付けるラベル
１１
切手シール
１２    陳列棚の棒などに掛ける穴
１３    商品名、値段などを記入する部分
１４    切り取り線
１５    封筒兼包装袋の蓋の線
【図１】
2013188406.tif 000003
【図２】
2013188406.tif 000004
【図３】
2013188406.tif 000005
【図４】
2013188406.tif 000006
(57)【要約】      （修正有）【課題】家電掃除機の真空発生駆動源を利用し、それと組み合わせる事で低吸引力を必要とする多目的掃除器を実現させ又、安価に提供する。【解決手段】家電掃除機に接続される掃除機接続部１に固着されたフレキシブル管２が、受水容器８の蓋７に取り付けられたジョイント３に接続され受水容器８と連結されている。別のフレキシブル管９が受水容器の蓋７に固定された三方ジョイント４を通じ受水容器８と連結されている。さらに、三方ジョイント４には吸引力を加減する調整弁５が接続されている。家電掃除機の電源を入れると、フレキシブル管９より使用目的により空気と水分または、水とごみが吸引され受水容器８に流入し、調整弁５からは調整された空気が入ることで、水分は受水容器８の底部に溜まり、空気は家電掃除機に吸引され排気される。すなわち、一般家庭にある家電掃除機を利用して低吸引力を必要とする多目的掃除器を得ることができる。【選択図】図１
2013188450.tif 000002
【特許請求の範囲】
【請求項１】
家電掃除機の本体接続部に接続可能な形状の接続部を持ち、接続部よりフレキシブルな管が固着され受水容器の蓋に取り付けられたジョイントを通じて受水容器に連結され、受水容器には別のフレキシブル管がジョイントを通じて連結されており、又、受水容器の蓋には空気の流入を調整する弁が備えられた構成から成る多目的掃除器
【発明の詳細な説明】
【技術分野】
【０００１】本発明は家電掃除機の真空発生駆動部本体に家電掃除機の本来の先端吸い込み部と交換して接続することで掃除機能を持つものに関するものである。
【背景技術】
【０００２】例１、観賞魚用水槽の水を浄化するために濾過機があるが一般的な濾過機は水中に吸水管を下げて取水をしてフィルターを通して浄化された水を水槽に戻しています。水中に漂うごみ類は時間が経過すれば、いずれは吸水管より濾過機に吸い上げられますが、重いごみや少し大き目の固体の糞は太い糸状になって底部に落ちているので吸水管に吸い上げられる事は殆んどないでしよう。
例２、次に絨毯にコーヒー、ジュウス等の液体を零したり、衣類に同様の物を零したりした時、応急的にタオル等で吸い取って更に洗剤と水とか湯水で洗浄しタオル等で吸い取って綺麗にするのですが、完全に汚れを吸着することは至難の技です。
例３、家電の掃除機では吸引力が強力過ぎてつかえない対象物、紙類、フィルム、繊細な布、、美術品等のホコリ，ごみの清掃をどのようにするか、
例４、重度の身体障害者の口腔ケアの介護をする為に多種の吸引機が販売されておりますが、多くは機能も優れていますが高価なもので一般家庭で購入するには負担が大きいのが現状です。
例５、老人が餅を喉につまらせたり、幼児が異物を喉につまらせたりして病院に運ぶ救急車が到着するまでの緊急時に何か出来る事はないでしょうか、
【発明の概要】
【発明が解決しようとする課題】
【００３】背景技術、例１に於いて水槽の底に沈殿した魚の糞、ごみ等を濾過機では簡単に清掃できないが、多目的掃除器を使えばピンポイントでごみ等を吸引することができます。その方法は、多目的掃除器の先端フレキシブル管に細い直管をアタッチメントとして取り付け対象物に近ずけて家電掃除機の駆動スイッチをＯＮ，ＯＦＦすることで水と一緒に吸引することができます
例２、の場合、汚染物質を洗剤と水で浮かせたなら、それらが繊維に染み込み広がる前に吸着させることが重要です。多目的掃除器は水も吸引する事が可能でタオル等を押し当てて吸着するより強力に吸引清掃ができます。
一般の家電掃除機は水等を吸引すると故障の原因になります。
例３、の場合、一般の家電掃除機の空気の流路断面積と多目的掃除器のそれと比較すると、多目的掃除器の流路断面積は約１／１８の細い管ですから吸引力も小さく、又、吸引力を調整する弁を具備していますので使い勝手はよいです。
例４、に関しては、多目的掃除器は吸引の駆動源を家電掃除機から借りるので構造が単純ですから安価で利用者に提供できます。
例５、の場合、命の危険が迫っている緊急時に救急車が到着するまでの間に多目的掃除器で喉に詰まった餅や異物を吸い取る応急処置ができれば命を救うことが出来ます。
【課題を解決する為の手段】
【０００４】前述の課題を解決する為多目的掃除器は家電掃除機の先端アタッチメントお含む直管部を取り外し、そこに接続できる接続部を具備し接続部と中間受水容器を連結するフレキシブル管を備え中間の受水容器から別のフレキシブル管がでています。用途に応じてそのフレキシブル管にアタッチメントを取り付けることができます。受水容器には吸引力を調整できる手動の弁が容器の蓋に備え付けられています。
以上の構成で多目的掃除器は一般家庭の掃除機と接続することで多目的な機能を発揮できます
【図面の簡単な説明】
【０００５】
【図１】図は多目的掃除器の構成を表す全体図であります。受水容器は立面図で上部を一部断面にしています。
【発明を実施する為の形態】
【０００６】多目的掃除器の構成を表す全体図に於いて、家電掃除機への接続部１を、家電掃除機の先端アタッチメント部（吸入部）を含む直管部を駆動スイッチ部を含む本体接続部から引き抜いて分離した後に差し込んで掃除機能の準備が完了です。吸入される空気、又は水の流れはフレキシブル管９を通って蓋７に取り付けられた三方ジョイント４より容器８に入ってきます。同時に三方ジョイント４に接続された調整弁５から空気が吸い込まれてきます。調整弁５を全開にしますとフレキシブル管９の吸引力は小さくなり、調整弁５を閉にしますとフレキシブル管９の先端部の吸引力は大きくなります。吸引された水は受水容器８に溜まりますが、空気の場合は容器の蓋７に取り付けられたジョイント３を通ってフレキシブル管２及び掃除機接続部１より家電掃除機にすいこまれ排気されます。ジョイント３及び三方ジョイント４はそれぞれナット６にて蓋７に固定されています
【符号の説明】
【０００７】１  掃除機接続部                      ２  フレキシブル管
３  ジョイント                        ４  三方ジョイント
５  調整弁                            ６  ナット
７  蓋                                ８  受水容器
９  フレキシブル管
【図１】
2013188450.tif 000003
(57)【要約】【課題】従来の食品工場などに於ける殺菌は、有機酸類を使用していましたが、長年の使用により耐性菌などが発生するようになり、また、大気中の塵や細菌は室内の空気を循環させてエアーフィルターに付着させるのですが、この付着した細菌が増殖して二次汚染に繋がっています。【解決手段】殺菌装置に殺菌力のあるエアーフィルターを組み込み、エアーフィルターに大気中の塵や細菌を付着させ、付着した細菌はエアーフィルターの殺菌力で細菌し、エアーフィルターを通過したクリーンエアーにオゾンを混合させて、吐出口が３６０°回転して噴霧させて浮遊菌や付着菌の殺菌を行う。【選択図】図１
2013188447.tif 000002
【特許請求の範囲】
【請求項１】
殺菌力のあるエアフィルターとオゾン発生装置を組み合わせたことを特徴とする殺菌装置
【請求項２】
除塵・殺菌された空気に殺菌力のあるオゾンガスを混合したオゾンエアの吐出口が３６０°回転して噴霧することを特徴とする請求項１の殺菌装置
【発明の詳細な説明】
【技術分野】
【０００１】  この発明は、殺菌・脱臭だけで無く除塵も可能な殺菌装置に関する。
【背景技術】
【０００２】  人・工場内・外気には１００万個／１ｍ３以上の菌が浮遊・付着しています。これらの菌が人体に有害な菌であれば人は病気になり、食品工場であれば食品の腐敗や細菌が付着した商品が菌の温床やキャリアとなり、人が食することで人体に悪影響を及ぼします。【０００３】  多くの食品などの消毒殺菌を必要とする工場では、次亜塩素酸ナトリウム、エチルアルコール、酢酸などの有機酸類を使って殺菌を行っています。【０００４】  また、大気中に浮遊している塵やカビ菌などに関しては、エアフィルターを使って大気を循環させてエアフィルターに浮遊している塵やカビ菌を付着させて大気中の塵やカビ菌などを除去しています。【０００５】  そこで、従来の殺菌に関する技術は、次亜塩素酸ナトリウム、エチルアルコール、酢酸などが使われてきましたが、これらの薬剤殺菌は長年による使用で耐性菌が生じたり、エチルアルコールを栄養源にできる真菌（酵母・カビ）が出現したり、酢酸などの有機酸類を使用する工場では、耐酸性カビの増殖などが問題となり、薬剤殺菌に問題が生じています。【０００６】  上記の薬剤殺菌と全く殺菌機構が異なり、殺菌・脱臭・脱色力があり、不安定な気体で容易に分解し、残留しないため耐性菌ができないオゾンが殺菌に関しては広く使われるようになりました。また、オゾンはその他の薬剤殺菌との併用で殺菌効果を得ることができます。
【発明の概要】
【発明が解決しようとする課題】
【０００７】  しかしながら、以上の技術によれば、エアフィルターを使って、室内の空気を循環させて除塵を行っていましたが、このエアフィルターについた空気中に浮遊する塵や細菌などの微生物に代表される粒子状物質を死滅させることはできず、この捕集した微生物が増殖して二次感染を引き起こしている可能性があります。【０００８】  そこで、この発明は、一台の殺菌装置で大気中の空気をエアフィルターに通して、空気中に浮遊する塵や細菌などをエアフィルターに付着させて、無塵・無菌のクリーンエアーにし、一方、大気中の空気を取り込み、大気中の酸素と窒素を分離して、酸素だけをオゾンガスにして無塵・無菌のクリーンエアーに混合させて、殺菌力のある無塵・無菌のクリーンオゾンガスにして殺菌装置の周囲３６０°に噴霧させることで、浮遊菌や付着菌の殺菌ができ、また、エアフィルターに付着した菌は、エアフィルターが持つ殺菌力で菌を殺菌しますので、エアフィルターでの二次汚染が起こらない殺菌装置を提供することを課題とする。
【課題を解決するための手段】
【０００９】  以上の課題を解決するために、第一発明は、殺菌力のあるエアフィルターとオゾン発生装置を組み合わせたことを特徴とする殺菌装置。【００１０】  また、第二発明は、除塵・殺菌された空気に殺菌力のあるオゾンガスを混合したオゾンエアの吐出口が３６０°回転して噴霧することを特徴とする請求項１の殺菌装置。
【発明の効果】
【００１１】  第一の発明、または第二に発明によれば、大気中のエアーから塵や細菌をエアフィルターに付着させてクリーンエアーにし、エアフィルターに付着した細菌はエアフィルターの殺菌力で殺菌を行い、二次感染を無くし、一方、オゾン発生器で高濃度のオゾンを発生して、クリーンエアーに高濃度のオゾンを混ぜて、クリーンオゾンガスにし、殺菌装置の周囲３６０°に噴霧を行って殺菌を行う。
【図面の簡単な説明】
【００１２】
【図１】この発明の実施形態を示すサイクル図
【図２】実施形態の外形図
【発明の実施形態】
【００１３】  殺菌装置に内蔵のブロワー▲２▼でエアフィルター▲１▼を通過して外気を取り入れて、空気中に浮遊する塵や細菌などをエアフィルターに付着させ、無塵・無菌のクリーンエアーにし、このクリーンエアーをクリーンオゾンガス吐出口▲６▼から噴霧させる。このクリーンオゾンガス吐出口は３６０°回転でき殺菌装置の周囲に均一に噴霧することが可能です。
【００１４】  また、エアフィルターに付着した空気中に浮遊する塵や細菌などは、エアフィルターが持つ殺菌力で捕集した細菌や微生物を殺菌しますので増殖して二次感染が起こりません。
【００１５】  一方、オゾン発生器▲５▼に内蔵している窒素分離装置▲３▼が大気中の空気から大気中に約７０％あるとされている窒素を分離して大気中に放出し、オゾン生成部▲４▼にて大気中に約２０％あるとされる酸素だけを使って高濃度オゾンを生成します。
【００１６】  この生成された高濃度のオゾンはエアフィルターを通過した無塵・無菌のクリーンエアーに混合して殺菌力のある無菌・無塵のクリーンオゾンガスとしてクリーンオゾンガス吐出口▲６▼から大気に噴霧し、周囲を殺菌します。
【００１７】  また、本装置は、エアフィルターの前後の差圧を検出して、その圧力差でエアフィルターの交換時期の判断ができ、オゾンの生成やクリーンオゾンガスの発生は、タイマーにて起動時間の設定や作動時間の設定ができる自動運転機能や強制手動運転などの状況や部屋の容積に応じた運転を選択できる機能があり、設置場所の塵や菌の状況によって運転状況を変えることができるなどの特徴を有します。
【発明の効果】
【００１８】  本発明の殺菌力のあるエアフィルターとオゾン発生装置を組み合わせたことを特徴とする殺菌装置によれば、この殺菌装置の設置されたところは、ブロワー▲２▼で周囲の大気を吸気し、エアフィルター▲１▼通過させてエアフィルター▲１▼で塵や細菌などを付着させて、付着した塵や細菌などはエアフィルターで殺菌・成長を止め二次汚染の心配もなく、クリーンオゾンガスで大気中の浮遊菌や床や壁などについている付着菌を殺菌できます。よって、この殺菌装置一台で集塵・殺菌・脱臭・カビの防止が可能で集塵部であるエアフィルターからの二次汚染の心配がありません。
【符号の説明】
【００１９】▲１▼  エアフィルター
▲２▼  ブロワー
▲３▼  窒素分離装置
▲４▼  オゾン生成部
▲５▼  オゾン発生器
▲６▼  クリーンオゾンガス吐出口
【図１】
2013188447.tif 000003
【図２】
2013188447.tif 000004
(57)【要約】【課題】  本発明は、衣類を掛けた時に、衣類の首部が引っ張られず、衣類を痛めないハンガーを提供することを課題とする。【解決手段】  衣類を掛けるハンガー本体と、吊下げ用フックとを有する衣類用ハンガーであって、前記ハンガー本体は、ハンガー本体の頂部から両側に延び、衣類の肩部を掛ける肩掛け部を備えるとともに、次の構成を具備することを特徴とする衣類用ハンガーを提供することで、課題を解決した。（Ａ）前記肩掛け部の下方に、衣類の背面を掛けることができる背面掛け部が設けられて      いること。（Ｂ）前記背面掛け部が、板状または網目状または格子状に、形成されていること。（Ｃ）前記背面掛け部の中央部が、前記背面掛け部の左右縁部に対して、前記ハンガー本      体の後方に向かって、凸状に膨んだ形状に、形成されていること。【選択図】図１
2013188448.tif 000002
【特許請求の範囲】
【請求項１】
衣類を掛けるハンガー本体と、吊下げ用フックとを有する衣類用ハンガーであって、
前記ハンガー本体は、ハンガー本体の頂部から両側に延び、衣類の肩部を掛ける肩掛け部を備えるとともに、次の構成を具備することを特徴とする衣類用ハンガー。
（Ａ）前記肩掛け部の下方に、衣類の背面を掛けることができる背面掛け部が設けられて      いること。
（Ｂ）前記背面掛け部が、板状または網目状または格子状に、形成されていること。
（Ｃ）前記背面掛け部の中央部が、前記背面掛け部の左右縁部に対して、前記ハンガー本      体の後方に向かって、凸状に膨んだ形状に、形成されていること。
【発明の詳細な説明】
【技術分野】
【０００１】  本発明は、衣類用ハンガーに関する。
【背景技術】
【０００２】  従来、衣類を掛ける、様々なハンガーが提供されている。
【発明の概要】
【発明が解決しようとする課題】
【０００３】  しかし、例えば図４に示すような従来のハンガー５１では、衣類５２を掛けた時に、ハンガーに衣類の肩部のみを掛けることから、衣類の首部が引っ張られ、衣類を痛める場合があった。本発明は、衣類を掛けた時に、衣類の首部が引っ張られず、衣類を痛めないハンガーを提供することを目的とする。
【課題を解決するための手段】
【０００４】  上記課題を解決するための手段として、本発明に係る衣類用ハンガーは、
衣類を掛けるハンガー本体と、吊下げ用フックとを有する衣類用ハンガーであって、
前記ハンガー本体は、ハンガー本体の頂部から両側に延び、衣類の肩部を掛ける肩掛け部を備えるとともに、次の構成を具備することを特徴とする。
（Ａ）前記肩掛け部の下方に、衣類の背面を掛けることができる背面掛け部が設けられて      いること。
（Ｂ）前記背面掛け部が、板状または網目状または格子状に、形成されていること。
（Ｃ）前記背面掛け部の中央部が、前記背面掛け部の左右縁部に対して、前記ハンガー本      体の後方に向かって、凸状に膨んだ形状に、形成されていること。【０００５】  上記課題解決手段による作用は次の通りである。すなわち、前記本体の肩掛け部に衣類の肩部を掛けるとともに、前記本体の背面掛け部に、衣類の背面を掛けることができることから、衣類の首部が引っ張られない構造となる。【０００６】  なお、前記肩掛け部と前記背面掛け部は、一体成型されたものでもよいし、別部材が結合されたものでもよい。【０００７】  また、前記本体は、プラスチック、アクリル、金属、木、ゴム、紙等の材料で構成されればよい。
【発明の効果】
【０００８】  上述したように、本発明のハンガーは、衣類を掛けた時に、衣類の首部が引っ張られず、衣類を痛めないハンガーを提供できる。
【図面の簡単な説明】
【０００９】
【図１】  本発明の実施形態を示すハンガーの一例の後面図
【図２】  図１のハンガーの一例の上面斜視図
【図３】  図１のハンガーで、衣類を掛けた状態を示す一例の斜視図
【図４】  従来のハンガーで、衣類を掛けた状態を示す一例の斜視図
【発明を実施するための形態】
【００１０】  以下、本発明の実施の形態を図１〜図３に基づいて説明する。
【００１１】  図１〜図２においては、前記衣類用ハンガーの一例として、
衣類を掛けるハンガー本体２１と、吊下げ用フック３１とを有する衣類用ハンガーであって、前記ハンガー本体２１は、ハンガー本体の頂部から両側に延び、衣類の肩部を掛ける肩掛け部２２を備えるとともに、次の構成を具備することを特徴とする衣類用ハンガーの一例を図示している。
（Ａ）前記肩掛け部２２の下方に、衣類の背面を掛けることができる背面掛け部２３が設      けられていること。
（Ｂ）前記背面掛け部２３が、板状または網目状または格子状に、形成されていること。
（Ｃ）前記背面掛け部２３の中央部が、前記背面掛け部の左右縁部に対して、前記ハンガ      ー本体の後方に向かって、凸状に膨んだ形状に、形成されていること。
なお、図１〜図２では、前記背面掛け部２３が網目状に形成されているとともに、前記肩掛け部２２と前期背面掛け部２３が一体成形された、一例を図示している。
【００１２】  図３においては、前記ハンガー本体２１に衣類４１を掛けた状態の一例を図示する。
図３に示すように、前記本体の肩掛け部２２に衣類の肩部を掛けるとともに、前記本体の背面掛け部２３に、衣類の背面を掛けることができることから、衣類４１の首部が引っ張られないようにできる。
【００１３】  なお、図１〜図２は、本発明の衣類用ハンガーの一例として、前記背面掛け部２３が、湾曲した網目状の形状に形成されたハンガーの一例を図示しているが、その他にも、前記背面掛け部２３が、板状または格子状に、形成されているとともに、左右縁部に対して、後方に向かって、凸状に膨らんだ、様々な形状に形成されたハンガーであればよい。
【符号の説明】
【００１４】２１  ハンガー本体
２２  肩掛け部
２３  背面掛け部
３１  吊下げ用フック
４１  衣類
５１  ハンガー
５２  衣類
【図１】
2013188448.tif 000003
【図２】
2013188448.tif 000004
【図３】
2013188448.tif 000005
【図４】
2013188448.tif 000006
(57)【要約】      （修正有）【課題】ネジリコイルバネを内蔵して一体化した蝶番の提供。【解決手段】蝶番の内部のボス１とボス２の各々に設けた挿入穴にネジリコイルバネ３の両端を挿入し固定する。【選択図】図１
2013096225.tif 000002
【特許請求の範囲】
【請求項１】
蝶番の内部のボス（１）とボス（２）の間にネジリコイルバネ（３）を入れて蝶番の回転時にネジリコイルバネの回転力が働くようにした装置。
【発明の詳細な説明】
【発明の分野】
【０００１】本発明は蝶番の支柱部分にネジリコイルバネを取り付けた蝶番に関するものである。
【背景技術】
【０００２】従来、扉などに外力を加えて開閉する時は。蝶番とばねを別々に取り付けていた。
【発明の開示】
【発明が解決しようとする課題】
【０００３】従来の方法では別々に取り付ける必要があった。
【課題を解決する手段】
【０００４】本発明はこれを一体化することで簡略化した。
ボス（１）とボス（２）の内側に、ネジリコイルバネ（３）の耳を入れる穴を設ける。
ボス（１）とボス（２）の間にネジリコイルバネ（３）を入れて、心棒（４）をガイドとして、ボス（１）とボス（２）の片方が回転するとき、ネジリコイルバネの働きによりボス（１）とボス（２）の間に回転力が作動する。
【本発明の効果】
【０００５】本発明を使用することにより、従来の取り付けのわずらわしさが解決した。
【図面の簡単な説明】
【０００６】
【図１】本発明の断面図
【発明を実施するための形態】
【０００７】以下、本発明の実施の形態を説明する。
ボス（１）とプレート（５）及び、ボス（２）とプレート（６）は各々一体化する、ボス（１）とボス（２）の内側にネジリコイルバネ（３）の耳が入る穴を設ける。
心棒（４）はボス（１）とボス（２）の内径を通して、この２つを保持している。
【符号の説明】
【０００８】１  ボス
２  ボス
３  ネジリコイルバネ
４  心棒
５  プレート
６  プレート
【図１】
2013096225.tif 000003